(57)【要約】【課題】髪の毛の切り過ぎを防止することができ、技術の熟練度が低い者であっても容易に使いこなすことができる梳きバサミを提供する。【解決手段】平刃１１１と櫛歯１２５とからなる梳きバサミ１００において、各櫛歯１２５の先端を半円形状とする。【選択図】図１
0003139584.tif 000002
【実用新案登録請求の範囲】
【請求項１】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は直刃であり、他方の刃部は、前記ハサミの長さ方向に開口部が列状に形成されることにより、櫛歯として形成されており、
前記櫛歯の各々の先端は円弧状に形成されているハサミ。
【請求項２】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は直刃であり、他方の刃部は、前記ハサミの長さ方向に開口部が列状に形成されることにより、櫛歯として形成されており、
前記櫛歯の各々の先端は、前記ハサミの長さ方向において二分された領域の何れか一方が円弧状に形成されているハサミ。
【考案の詳細な説明】
【技術分野】
【０００１】
本考案はハサミ、特に、理髪用の梳きハサミに関する。
【背景技術】
【０００２】
理髪時には、理髪用ハサミ（刃が２つとも直刃のハサミ）を使って髪を切った後、最後の仕上げ時に梳きハサミが用いられる。
【０００３】
一般に、梳きハサミは、一方の刃が直刃（あるいは、平刃）であり、他方の刃が櫛歯状になっている。
【０００４】
櫛歯状になっている刃は、刃をなす部分と、空洞の部分とが連続して形成されており、空洞の部分によっては、髪は切られることはなく、刃をなす部分によってのみ、髪が切られる。このため、理髪の仕上げ用として梳きハサミを使用することにより、髪を梳くことができる。すなわち、梳きハサミを使用することにより、短く刈った髪が混在するようにすることが可能になる。
【０００５】
このような梳きハサミの一例が、例えば、特開２００７−２０９７６号公報に記載されている。
【考案の開示】
【考案が解決しようとする課題】
【０００６】
梳きバサミを適切に使用するためには、長年の熟練を必要とする。このため、技術の熟練度が低い者が梳きバサミを使用すると、髪の毛を切りすぎてしまうという問題があった。切り落とす髪の毛の量が少なすぎた場合には、さらに切り足せば良いが、髪の毛を切り過ぎてしまった場合には取り返しがつかない。
【０００７】
このため、技術の熟練度が低い者が梳きバサミを使用する場合には、慎重の上にも慎重を期することが要求された。
【０００８】
本考案は、このような問題点に鑑みてなされたものであり、髪の毛の切り過ぎを防止することができ、技術の熟練度が低い者であっても容易に使いこなすことができる梳きバサミを提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミ（１００）であって、前記一対のハサミ形成部材（１１０、１２０）の一方の刃部（１１１）は直刃であり、他方の刃部（１２１）は、前記ハサミ（１００）の長さ方向に開口部（１４０）が列状に形成されることにより、櫛歯（１２５）として形成されており、前記櫛歯（１２５）の各々の先端は円弧状に形成されているハサミ（１００）を提供する。
【００１１】
さらに、本考案は、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミ（２００）であって、前記一対のハサミ形成部材（１１０、１２０）の一方の刃部（１１１）は直刃であり、他方の刃部（１２１）は、前記ハサミ（２００）の長さ方向に開口部（１４０）が列状に形成されることにより、櫛歯（２２５）として形成されており、前記櫛歯（２２５）の各々の先端は、前記ハサミ（２００）の長さ方向において二分された領域（２２５Ａ、２２５Ｂ）の何れか一方（２２５Ｂ）が円弧状に形成されているハサミ（２００）を提供する。
【考案の効果】
【００１２】
櫛歯の先端に髪の毛がかかると、櫛歯の先端が円弧形状をなしているため、紙の毛は櫛歯の円弧形状の先端に沿ってハサミの先端の方向またはハサミの把手部の方向に流れる。このため、櫛歯の先端付近にとどまる髪の毛の量は少なくなり、櫛歯によりカットされる髪の毛の量も少なくなる。このように、本考案に係るハサミによれば、各櫛歯によりカットされる髪の毛の量を少なくすることができるため、髪の毛の切り過ぎを防止することができ、技術の熟練度が低い者であっても容易に使いこなすことが可能である。
【考案を実施するための最良の形態】
【００１３】
（第一の実施形態）
図１は、本発明の第一の実施形態に係るハサミ１００の平面図である。
【００１４】
本実施形態に係るハサミ１００は一対のハサミ形成部材、すなわち、第一のハサミ形成部材１１０と第二のハサミ形成部材１２０とからなる。
【００１５】
第一のハサミ形成部材１１０及び第二のハサミ形成部材１２０は双方とも鋼鉄でつくられている。
【００１６】
第一のハサミ形成部材１１０には回動中心点となる箇所に孔（図１では見えない）が形成されており、この回動中心点となる孔の一方の側には刃部１１１が、他方の側には把手部としてのリング１１２が形成されている。
【００１７】
第二のハサミ形成部材１２０には回動中心点となる箇所に孔（図１では見えない）が形成されており、この回動中心点となる孔の一方の側には刃部１２１が、他方の側には把手部としてのリング１２２が形成されている。
【００１８】
第一のハサミ形成部材１１０及び第二のハサミ形成部材１２０は、それぞれ回動中心点に形成されている孔に回動軸１３０を通すことによって、相互に回動可能に連結されている。
【００１９】
把手部としてのリング１１２、１２２に指を通し、回動軸１３０を中心として、第一のハサミ形成部材１１０及び第二のハサミ形成部材１２０を相互に回転させることにより、第一のハサミ形成部材１１０及び第二のハサミ形成部材１２０の各刃部１１１、１２１が相互に閉じた状態（図１に示す状態）と相互に開いた状態とを取ることができる。
【００２０】
第一のハサミ形成部材１１０の刃部１１１は直刃（平刃）として形成されている。
【００２１】
これに対して、第二のハサミ形成部材１２０の刃部１２１は櫛歯状に形成されている。
【００２２】
すなわち、本実施形態に係るハサミ１００はいわゆる梳きハサミである。通常、第一のハサミ形成部材１１０のリング１１２には薬指を、第二のハサミ形成部材１２０のリング１２２には親指を入れる。髪のカット時には、第一のハサミ形成部材１１０をほぼ静止状態に保持しておき、親指のみを反復して動かすことにより、第一のハサミ形成部材１１０及び第二のハサミ形成部材１２０の各刃部１１１、１２１を開閉させ、髪をカットする。このように、第一のハサミ形成部材１１０の刃部１１１は静止状態に保持され、さらに、第二のハサミ形成部材１２０の刃部１２１のみが動くため、第一のハサミ形成部材１１０の刃部１１１は「静刃」と、第二のハサミ形成部材１２０の刃部１２１は「動刃」と呼ばれることがある。
【００２３】
第二のハサミ形成部材１２０の刃部１２１には、その長さ方向Lに開口部１４０が一定間隔で列状に形成されている。すなわち、第二のハサミ形成部材１２０の刃部１２１は、複数の開口部１４０が形成されていることにより、櫛歯１２５になっている。
【００２４】
図１に示すように、櫛歯１２５の各々の先端は半円形状になっている。
【００２５】
以上のような構造を有する本実施形態に係るハサミ１００は以下のような機能を奏する。
【００２６】
図２は、一つの櫛歯１２５を拡大して示す拡大平面図である。
【００２７】
図２に示すように、櫛歯１２５の先端に髪の毛１５０がかかった場合を想定する。このような場合、櫛歯１２５の先端が半円形状をなしているため、紙の毛１５０は櫛歯１２５の半円形状の先端に沿ってハサミ１００の先端の方向（Ａ方向）またはハサミ１００のリング１１２、１２２の方向（Ｂ方向）に流れることとなる。このため、櫛歯１２５の先端付近にとどまる髪の毛１５０の量は極めて少なくなる。従って、櫛歯１２５によりカットされる髪の毛１５０の量も少なくなる。
【００２８】
このように、本実施形態に係るハサミ１００によれば、各櫛歯１２５によりカットされる髪の毛１５０の量を少なくすることができるため、髪の毛の切り過ぎを防止することができ、技術の熟練度が低い者であっても容易に使いこなすことが可能である。
【００２９】
なお、本実施形態に係るハサミ１００は上記の構造に限定されるものではなく、種々の改変が可能である。
【００３０】
例えば、本実施形態に係るハサミ１００においては、各櫛歯１２５の先端は半円形状に形成されているが、各櫛歯１２５の先端の形状は半円には限定されない。円弧形状である限りにおいては、任意の形状とすることができる。例えば、半楕円形状、あるいは、円の一部としての円弧の形状とすることができる。
【００３１】
（第二の実施形態）
図３は、本発明の第二の実施形態に係るハサミ２００の平面図である。
【００３２】
本実施形態に係るハサミ２００は、第一の実施形態に係るハサミ１００と比較して、櫛歯の形状が異なっている。櫛歯の形状が異なっている点を除いて、本実施形態に係るハサミ２００は第一の実施形態に係るハサミ１００と同一の構造を有している。このため、第一の実施形態に係るハサミ１００と同一の構成要素に対しては同一の参照符号を用い、詳細な説明は省略する。
【００３３】
図４は、本実施形態に係るハサミ２００における櫛歯２２５の一つを拡大して示す拡大平面図である。
【００３４】
図４に示すように、本実施形態に係るハサミ２００における櫛歯２２５は、ハサミ２００の長さ方向において二分された領域からなる。具体的には、櫛歯２２５は、ハサミ２００の先端側に位置する第一領域２２５Ａと、ハサミ２００のリング１１２、１２２側に位置する第二領域２２５Ｂとから構成されている。
【００３５】
第一領域２２５Ａは平刃（直刃）からなり、第二領域２２５Ｂは４分円（円の１／４）形状の刃からなっている。
【００３６】
以上のような構造を有する本実施形態に係るハサミ２００は以下のような機能を奏する。
【００３７】
図４に示すように、櫛歯２２５の先端に髪の毛１５０がかかった場合を想定する。このような場合、櫛歯２２５の先端の第二領域２２５Ｂが曲線形状（４分円形状）をなしているため、紙の毛１５０は櫛歯２２５の第二領域２２５Ｂの曲線形状の先端に沿ってハサミ２００のリング１１２、１２２の方向（Ｂ方向）に流れることとなる。このため、櫛歯２２５の先端付近にとどまる髪の毛１５０の量は少なくなる。従って、櫛歯２２５によりカットされる髪の毛１５０の量も少なくなる。
【００３８】
このように、本実施形態に係るハサミ２００によっても、第一の実施形態に係るハサミ１００と同様に、各櫛歯２２５によりカットされる髪の毛１５０の量を少なくすることができるため、髪の毛の切り過ぎを防止することができる。
【００３９】
なお、本実施形態に係るハサミ２００においては、ハサミ２００の先端側に平刃の第一領域２２５Ａを、ハサミ２００のリング１１２、１２２側に４分円形状の刃の第二領域２２５Ｂをそれぞれ形成したが、位置関係を逆にすることも可能である。すなわ、ハサミ２００の先端側に４分円形状の刃の第二領域２２５Ｂを、ハサミ２００のリング１１２、１２２側に刃の第一領域２２５Ａをそれぞれ形成することも可能である。ハサミ２００のユーザーの使いやすさに応じて、第一領域２２５Ａ及び第二領域２２５Ｂの位置関係を決めることが可能である。
【００４０】
また、本実施形態に係るハサミ２００においては、第二領域２２５Ｂは４分円形状に形成されているが、第二領域２２５Ｂの形状は４分円には限定されない。円弧形状である限りにおいては、任意の形状とすることができる。例えば、楕円形状の１／４、あるいは、滑らかな曲線形状（円または楕円を構成しない曲線形状）とすることができる。
【図面の簡単な説明】
【００４１】
【図１】本考案の第一の実施形態に係るハサミの平面図である。
【図２】本考案の第一の実施形態に係るハサミにおける櫛歯の一つを拡大した平面図である。
【図３】本考案の第二の実施形態に係るハサミの平面図である。
【図４】本考案の第二の実施形態に係るハサミにおける櫛歯の一つを拡大した平面図である。
【符号の説明】
【００４２】
１００  本考案の第一の実施形態に係るハサミ
１１０  第一のハサミ形成部材
１１１  刃部
１１２  リング
１２０  第二のハサミ形成部材
１２１  刃部
１２２  リング
１２５  櫛歯
１３０  回動軸
１４０  開口部
１５０  髪の毛
２００  本発明の第二の実施形態に係るハサミ
２２５  櫛歯
２２５Ａ  第一領域
２２５Ｂ  第二領域
【図１】
0003139584.tif 000003
【図２】
0003139584.tif 000004
【図３】
0003139584.tif 000005
【図４】
0003139584.tif 000006